(57)【特許請求の範囲】
【請求項１】
薄板からなる表板と、薄板からなる裏板とを有しており、前記表板と前記裏板との間に中空部が形成されている手摺本体、及び
前記手摺本体の長手方向に互いに間隔をおいて前記裏板に締結されているとともに、かご室壁に固定される複数の取付金
を備え、
前記表板は、かご室内に臨む帯状の表板主部と、前記表板主部の上端部からかご室壁側へ突出した上面部と、前記上面部のかご室壁側の端部から下方へ突出した上側対向部と、前記上側対向部の下端部から前記表板主部側へ突出した上側折り返し部と、前記表板主部の下端部からかご室壁側へ突出した下面部と、前記下面部のかご室壁側の端部から上方へ突出した下側対向部と、前記下側対向部の上端部から前記表板主部側へ突出した下側折り返し部とを有しており、
前記裏板は、前記表板主部に対向する帯状の裏板主部と、前記裏板主部の上端部から前記表板主部側へ突出し前記上側折り返し部に接している上側当接部と、前記上側当接部の前記表板主部側の端部から下方へ突出し前記表板主部に接合されている上側接合部と、前記裏板主部の下端部から前記表板主部側へ突出し前記下側折り返し部に接している下側当接部と、前記下側当接部の前記表板主部側の端部から上方へ突出し前記表板主部に接合されている下側接合部とを有していることを特徴とするエレベータのストレッチャガード兼用手摺。
【請求項２】
薄板からなる表板と、薄板からなる裏板とを有しており、前記表板と前記裏板との間に中空部が形成されている手摺本体、
前記手摺本体の長手方向に互いに間隔をおいて前記裏板に締結されているとともに、かご室壁に固定される複数の取付金、及び
前記手摺本体の長手方向の端部が挿入された筒状の差込口部と、前記差込口部から前記手摺本体とは反対側へ延長された延長部とを有しており、前記手摺本体の長手方向の端部に装着されている保護キャップ
を備え、
前記表板は、かご室内に臨む帯状の表板主部と、前記表板主部の上端部からかご室壁側へ突出した上面部と、前記上面部のかご室壁側の端部から下方へ突出した上側対向部と、前記上側対向部の下端部から前記表板主部側へ突出した上側折り返し部と、前記表板主部の下端部からかご室壁側へ突出した下面部とを有しており、
前記保護キャップは、前記手摺本体よりも柔軟性の高い材料により一体成形されており、
前記延長部の前記差込口部とは反対側の端部は、前記かご室壁に対して間隔をおいて対向していることを特徴とするエレベータのストレッチャガード兼用手摺。
【請求項３】
かご室内に臨む帯状の表板部と、前記表板部の長手方向に沿って連続して設けられているとともに、前記表板部との間に間隔をおいて前記表板部の裏面に対向している帯状の裏板部と、前記表板部の長手方向に沿って連続して前記表板部の上端部と前記裏板部の上端部との間に設けられている上面部と、前記表板部の長手方向に沿って連続して前記表板部の下端部と前記裏板部の下端部との間に設けられている下面部とを有しており、樹脂又は金属からなる手摺本体、
前記手摺本体の長手方向に互いに間隔をおいて前記裏板部に締結されているとともに、かご室壁に固定される複数の取付金、及び
前記手摺本体の長手方向の端部が挿入された筒状の差込口部と、前記差込口部から前記手摺本体とは反対側へ延長された延長部とを有しており、前記手摺本体の長手方向の端部に装着されている保護キャップ
を備え、
前記保護キャップは、前記手摺本体よりも柔軟性の高い材料により一体成形されており、
前記延長部の前記差込口部とは反対側の端部は、前記かご室壁に対して間隔をおいて対向していることを特徴とするエレベータのストレッチャガード兼用手摺。
【請求項４】
前記延長部は、前記差込口部側の端部から反対側の端部へ向けて徐々にかご室壁に近づくように湾曲されていることを特徴とする請求項２又は請求項３に記載のエレベータのストレッチャガード兼用手摺。
【請求項５】
前記手摺本体の前記かご室壁に対向する面に対向する前記差込口部の内面には、金型抜き勾配が設けられておらず、
前記手摺本体と前記差込口部との間には、薄板からなるスペーサが挿入されていることを特徴とする請求項２から請求項４までのいずれか１項に記載のエレベータのストレッチャガード兼用手摺。
【請求項６】
前記保護キャップの表面には、シボ加工により微小な凹凸が形成されていることを特徴とする請求項２から請求項５までのいずれか１項に記載のエレベータのストレッチャガード兼用手摺。
【請求項７】
前記延長部のかご室壁に対向する面には、複数のリブが格子状に形成されていることを特徴とする請求項２から請求項６までのいずれか１項に記載のエレベータのストレッチャガード兼用手摺。
【請求項８】
前記手摺本体の長手方向の同じ位置に、上下に並べて２つずつの前記取付金が配置されていることを特徴とする請求項２から請求項７までのいずれか１項に記載のエレベータのストレッチャガード兼用手摺。
【発明の詳細な説明】
【技術分野】
【０００１】
この発明は、かご室内に取り付けられ、ストレッチャ等の衝突からかご室壁を保護するエレベータのストレッチャガード兼用手摺に関するものである。
【背景技術】
【０００２】
例えば、病院、福祉施設等に設置されたエレベータのかご室内には、ストレッチャや配膳車等の衝突からかご室壁を保護するストレッチャガードが取り付けられている。また、従来のストレッチャガードは、厚鋼板で構成されている（例えば、特許文献１参照）。
【先行技術文献】
【特許文献】
【０００３】
【特許文献１】実開昭６１−２５４１０号公報
【発明の概要】
【発明が解決しようとする課題】
【０００４】
上記のような従来のストレッチャガードは、厚鋼板で中実に構成されているため、質量が大きく、かご全体の質量を大幅に増大させるとともに、かご室への取付時の取扱性が低い。また、乗客が触れた際の安全のため、切断面の処理、角の面取り加工、又は全体を樹脂製カバーで覆う必要があり、製造に手間がかかる。
【０００５】
この発明は、上記のような課題を解決するためになされたものであり、軽量で製造が容易なエレベータのストレッチャガード兼用手摺を得ることを目的とする。
【課題を解決するための手段】
【０００６】
この発明に係るエレベータのストレッチャガード兼用手摺は、薄板を折り曲げ加工してなる表板と、薄板を折り曲げ加工してなる裏板とを有しており、前記表板と前記裏板との間に中空部が形成されている手摺本体、及び手摺本体の長手方向に互いに間隔をおいて裏板に締結されているとともに、かご室壁に固定される複数の取付金を備え、表板は、かご室内に臨む帯状の表板主部と、表板主部の上端部からかご室壁側へ突出した上面部と、上面部のかご室壁側の端部から下方へ突出した上側対向部と、対向部の下端部から表板主部側へ突出した上側折り返し部と、表板主部の下端部からかご室壁側へ突出した下面部と、下面部のかご室壁側の端部から上方へ突出した下側対向部と、下側対向部の上端部から表板主部側へ突出した下側折り返し部と、表板主部の下端部からかご室壁側へ突出した下面部とを有している。
【発明の効果】
【０００７】
この発明のエレベータのストレッチャガード兼用手摺は、薄板からなる表板と裏板とを、間に中空部が形成されるように組み合わせて手摺本体を構成したので、全体を軽量化することができ、また、表板の上下両端部を折り曲げ加工して安全を確保するようにしたので、製造を容易にすることができる。
【図面の簡単な説明】
【０００８】
【図１】この発明の実施の形態１によるエレベータのかご室を示す斜視図である。
【図２】図１のかご室の水平断面図である。
【図３】図２の取付金を示す斜視図である。
【図４】図２のＩＶ−ＩＶ線に沿う断面図である。
【図５】図２のＶ部を拡大して示す平面図である。
【図６】図５の保護キャップをかご室壁側から見た斜視図である。
【図７】図５のＶＩＩ−ＶＩＩ線に沿う断面図である。
【図８】図２の手摺本体及び保護キャップを示す分解斜視図である。
【図９】この発明の実施の形態２によるストレッチャガード兼用手摺の断面図である。
【図１０】図９の保護キャップの断面図である。
【図１１】図９の手摺本体及び保護キャップを示す分解斜視図である。
【図１２】図９のストレッチャガード兼用手摺をかご室壁に固定する様子を示す断面図である。
【図１３】図４の手摺本体の上端部がかご室壁側へ押圧された状態を示す断面図である。
【図１４】この発明の実施の形態３によるストレッチャガード兼用手摺の断面図である。
【発明を実施するための形態】
【０００９】
以下、この発明を実施するための形態について、図面を参照して説明する。
実施の形態１．
図１はこの発明の実施の形態１によるエレベータのかご室を示す斜視図である。図において、かご室１は、複数のかご室壁２と、天井３とを有している。かご室壁２には、かご室１の前面に位置する前壁と、前壁に対向する後壁と、互いに対向する一対の側壁とが含まれている。前壁には、かご出入口１ａが設けられている。かご出入口１ａは、一対のかごドア４ａ，４ｂにより開閉される。
【００１０】
エレベータのかごは、かご室１と、かご室１を支持するかご枠（図示せず）とを有している。また、かごは、懸架体（図示せず）により昇降路５内に吊り下げられており、巻上機（図示せず）により昇降路５内を昇降される。懸架体としては、複数本のロープ又は複数本のベルトが用いられている。
【００１１】
巻上機は、懸架体が巻き掛けられた駆動シーブと、駆動シーブを回転させるモータと、駆動シーブの回転を制動するブレーキとを有している。
【００１２】
図２は図１のかご室１の水平断面図である。かご室１内には、ストレッチャ５０や配膳車等の衝突からかご室壁２を保護する複数のストレッチャガード兼用手摺６が取り付けられている。この例では、ストレッチャガード兼用手摺６は、左右の側壁及び後壁の同じ高さにそれぞれ水平に取り付けられている。
【００１３】
各ストレッチャガード兼用手摺６は、手摺本体７と、手摺本体７をかご室壁２に固定する一対の取付金８と、手摺本体７の長手方向の両端部に装着された一対の保護キャップ９とを有している。取付金８は、手摺本体７の長手方向に互いに間隔をおいて配置されている。
【００１４】
図３は図２の取付金８を示す斜視図である。取付金８は、金属板をコ字形に折り曲げ加工してなり、手摺本体７に固定される手摺固定部８ａと、かご室壁２に固定される壁固定部８ｂと、これらの上端部間に設けられた連結部８ｃとを有している。
【００１５】
手摺固定部８ａには、一対の長孔８ｄが設けられている。長孔８ｄの長手方向は、手摺本体７の長手方向に平行である。壁固定部８ｂには、一対の切欠８ｅが設けられている。これらの切欠８ｅは、壁固定部８ｂの下端から中間部まで鉛直方向に平行に設けられている。
【００１６】
図４は図２のＩＶ−ＩＶ線に沿う断面図である。手摺本体７は、薄板鋼板を折り曲げ加工してなる表板１１と、同じく薄板鋼板を折り曲げ加工してなる断面ハット形の裏板１２とを組み合わせて構成されている。裏板１２は、表板１１の長手方向に沿って連続して設けられており、表板１１の裏面に固定されている。表板１１と裏板１２との間には、中空部１３が形成されている。
【００１７】
表板１１は、かご室壁２に平行な帯状の表板主部１１ａ、水平な上面部１１ｂ、表板主部１１ａの裏面に対向する上側対向部１１ｃ、水平な上側折り返し部１１ｄ、水平な下面部１１ｅ、表板主部１１ａの裏面に対向する下側対向部１１ｆ、及び水平な下側折り返し部１１ｇを有している。
【００１８】
表板主部１１ａは、表面がかご室１内に臨むように配置されている。上面部１１ｂは、表板主部１１ａの上端部からかご室壁２側へ直角に突出している。上側対向部１１ｃは、上面部１１ｂのかご室壁２側の端部から下方へ直角に突出している。上側折り返し部１１ｄは、上側対向部１１ｃの下端部から表板主部１１ａ側へ直角に突出している。
【００１９】
下面部１１ｅは、表板主部１１ａの下端部からかご室壁２側へ直角に突出している。下側対向部１１ｆは、下面部１１ｅのかご室壁２側の端部から上方へ直角に突出している。下側折り返し部１１ｇは、下側対向部１１ｆの上端部から表板主部１１ａ側へ直角に突出している。
【００２０】
このように、表板１１の上端部には、その長手方向の全体に渡って連続して折り曲げ加工が施され、上面部１１ｂ、上側対向部１１ｃ、上側折り返し部１１ｄが形成されている。これらの上面部１１ｂ、上側対向部１１ｃ及び上側折り返し部１１ｄにより、表板主部１１ａの裏面に向けて開口した断面コ字形の上側安全加工部が形成されている。
【００２１】
また、表板１１の下端部には、その長手方向の全体に渡って連続して折り曲げ加工が施され、下面部１１ｅ、下側対向部１１ｆ及び下側折り返し部１１ｇが形成されている。これら下面部１１ｅ、下側対向部１１ｆ及び下側折り返し部１１ｇにより、表板主部１１ａの裏面に向けて開口した断面コ字形の下側安全加工部が形成されている。このように、表板１１の上下端部は、それぞれ内側に巻き込むように折り曲げ加工されている。
【００２２】
裏板１２は、帯状の裏板主部１２ａ、上側水平部１２ｂ、上側接合部１２ｃ、下側水平部１２ｄ及び下側接合部１２ｅを有している。裏板主部１２ａは、中空部１３を介して表板主部１１ａの裏面に対向している。また、裏板主部１２ａは、表板主部１１ａに対して平行である。
【００２３】
上側水平部１２ｂは、裏板主部１２ａの上端部から表板主部１１ａ側へ直角に突出している。上側接合部１２ｃは、上側水平部１２ｂの表板主部１１ａ側の端部から上方へ直角に突出している。
【００２４】
下側水平部１２ｄは、裏板主部１２ａの下端部から表板主部１１ａ側へ直角に突出している。下側接合部１２ｅは、下側水平部１２ｄの表板主部１１ａ側の端部から下方へ直角に突出している。
【００２５】
上側接合部１２ｃ及び下側接合部１２ｅは、表板主部１１ａの裏面に接合剤を介して接合され固定されている。
【００２６】
裏板主部１２ａの表板主部１１ａに対向する面には、一対の裏板ナット１４が固定されている。裏板主部１２ａの表板主部１１ａとは反対側の面には、一対の手摺側固定ボルト１５により取付金８が固定されている。手摺側固定ボルト１５は、長孔８ｄと裏板主部１２ａに設けられた孔とを通して裏板ナット１４に螺着されている。
【００２７】
取付金８は、一対の壁側固定ボルト１６と一対の壁側ナット１７を用いてかご室壁２に固定されている。壁側固定ボルト１６は、切欠８ｅとかご室壁２に設けられた孔とを通して壁側ナット１７に螺着されている。
【００２８】
取付金８には、断面コ字形の薄板からなる化粧カバー１８が両面テープで固定されている。両面テープは、化粧カバー１８の底面部と連結部８ｃとの間に設けられている。
【００２９】
図５は図２のＶ部を拡大して示す平面図である。保護キャップ９は、手摺本体７の長手方向の端部が挿入された筒状の差込口部９ａと、差込口部９ａから手摺本体７とは反対側へ延長された延長部９ｂとを有している。延長部９ｂは、差込口部９ａ側の端部から反対側の端部へ向けて徐々にかご室壁２に近づくように湾曲されている。
【００３０】
また、保護キャップ９は、差込口部９ａを貫通する３本の保護キャップ取付ボルト１９により手摺本体７に固定されている。さらに、保護キャップ９は、手摺本体７よりも柔軟性の高い材料（例えば、柔軟系樹脂、又はゴム等の弾性体など）により一体成形されている。さらにまた、保護キャップ９の表面には、シボ加工により微小な凹凸が形成されている。
【００３１】
図６は図５の保護キャップをかご室壁側から見た斜視図である。延長部９ｂのかご室壁２に対向する面には、複数のリブ９ｃ〜９ｅが格子状に形成されている。
【００３２】
手摺本体７と差込口部９ａとの間には、薄板からなるスペーサ２０が任意の枚数だけ挿入されている。スペーサ２０には、保護キャップ取付ボルト１９を通す複数の切欠２０ａが設けられている。手摺本体７のかご室壁２に対向する面に対向する差込口部９ａの内面は、金型抜き勾配が設けられておらず、手摺本体７のかご室壁２に対向する面に平行である。
【００３３】
図７は図５のＶＩＩ−ＶＩＩ線に沿う断面図である。表板１１及び裏板１２の長手方向の両端部には、保護キャップ取付ナット２１が３個ずつ固定されている。保護キャップ取付ボルト１９は、差込口部９ａに設けられた孔と、切欠２０ａと、手摺本体７に設けられた孔とを通して保護キャップ取付ナット２１に螺着されている。
【００３４】
図８は図２の手摺本体７及び保護キャップ９を示す分解斜視図であり、表板主部１１ａの表面を下にして示している。ストレッチャガード兼用手摺６を組み立てる場合、まず、表板１１に裏板１２を接合し固定する。次に、手摺本体７の両端部に保護キャップ９を固定する。このとき、差込口部９ａと手摺本体７の端部との間にスペーサ２０を挿入する。また、図８では図示しないが、裏板１２に取付金８を固定する。このように組み立てられたストレッチャガード兼用手摺６をかご室壁２に固定し、最後に取付金８に化粧カバー１８を貼り付ける。
【００３５】
このようなストレッチャガード兼用手摺６では、薄板からなる表板１１と裏板１２とを、間に中空部１３が形成されるように組み合わせて手摺本体７を構成したので、全体を軽量化することができる。また、表板１１の上下両端部を折り曲げ加工して安全を確保するようにしたので、面取り加工したり全体を樹脂製カバーで覆ったりする場合に比べて、製造を容易にすることができる。
【００３６】
また、手摺本体７の長手方向の端部に保護キャップ９が装着されているので、ストレッチャ５０や配膳車等の衝突に対して、手摺本体７を保護することができる。
【００３７】
さらに、延長部９ｂがかご室壁２側へ湾曲されているので、ストレッチャ５０や配膳車等の衝突時に軌道をそらし、手摺本体７に過剰な衝撃力がかかるのを防ぐことができる。また、乗客がかご室１に乗り込んだ際に、鞄の紐や衣服等がストレッチャガード兼用手摺６に引っ掛かり難くなる。
【００３８】
さらにまた、手摺本体７よりも柔軟性の高い材料により一体成形された保護キャップ９を用いたので、ストレッチャ５０や配膳車等の衝突時の衝撃を保護キャップ９により吸収して、手摺本体７の破損を防ぐことができる。また、保護キャップ９の製造を容易にすることができる。さらに、保護キャップ９が破損した際の保護キャップ９の交換も容易である。
【００３９】
また、差込口部９ａの内面に金型抜き勾配を設けず、手摺本体７と差込口部９ａとの間にスペーサ２０を挿入したので、かご室１内側（意匠面側）の手摺本体７と保護キャップ９との間の隙間をなくすことができ、意匠性を向上させることができるとともに、保護キャップ９のぐらつきを防ぐことができる。
【００４０】
さらに、保護キャップ９の表面にシボ加工を施したので、表面の微小な凹凸により、傷や汚れが付きにくくなり、意匠性を向上させることができる。
【００４１】
延長部９ｂのかご室壁２に対向する面にリブ９ｃ〜９ｅが格子状に形成されているので、ストレッチャ５０や配膳車等の衝突時に、保護キャップ９にかかる荷重をリブ９ｃ〜９ｅ側に集中させ、保護キャップ９の意匠面の差込口部９ａ近傍の変形や破損を防ぐことができる。
【００４２】
実施の形態２．
次に、図９はこの発明の実施の形態２によるストレッチャガード兼用手摺の断面図であり、図２のＩＶ−ＩＶ線に沿う断面に相当する断面を示している。また、図１０は図９の保護キャップ９の断面図であり、図５のＶＩＩ−ＶＩＩ線に沿う断面に相当する断面を示している。
【００４３】
実施の形態２の手摺本体３１は、実施の形態１と同様の表板１１と、薄板鋼板を折り曲げ加工してなる断面Ｃ形の裏板３２とを組み合わせて構成されている。裏板３２は、表板１１の長手方向に沿って連続して設けられており、表板１１の裏面に固定されている。表板１１と裏板３２との間には、中空部３３が形成されている。
【００４４】
裏板３２は、帯状の裏板主部３２ａ、水平な上側当接部３２ｂ、上側接合部３２ｃ、水平な下側当接部３２ｄ、及び下側接合部３２ｅを有している。裏板主部３２ａは、中空部３３を介して表板主部１１ａの裏面に対向している。また、裏板主部３２ａは、表板主部１１ａに対して平行である。
【００４５】
上側当接部３２ｂは、裏板主部３２ａの上端部から表板主部１１ａ側へ直角に突出している。また、上側当接部３２ｂは、上側折り返し部１１ｄの下面に接している。上側接合部３２ｃは、上側当接部３２ｂの表板主部１１ａ側の端部から下方へ直角に突出し、表板主部１１ａの裏面に接合されている。
【００４６】
下側当接部３２ｄは、裏板主部３２ａの下端部から表板主部１１ａ側へ直角に突出している。また、下側当接部３２ｄは、下側折り返し部１１ｇの上面に接している。下側接合部３２ｅは、下側当接部３２ｄの表板主部１１ａ側の端部から上方へ直角に突出し、表板主部１１ａの裏面に接合されている。
【００４７】
上側接合部３２ｃ及び下側接合部３２ｅは、表板主部１１ａの裏面に接合剤を介して接合され固定されている。
【００４８】
取付金８は、手摺本体３１の長手方向の同じ位置に、上下に並べて２つずつ配置されている。保護キャップ取付ナット２１は、裏板１２の長手方向の両端部に３個ずつ固定されている。他の構成は、実施の形態１と同様である。
【００４９】
図１１は図９の手摺本体３１及び保護キャップ９を示す分解斜視図であり、表板主部１１ａの表面を下にして示している。実施の形態２のストレッチャガード兼用手摺６を組み立てる場合、まず、表板１１に裏板３２を接合し固定する。次に、手摺本体３１の両端部に保護キャップ９を固定する。このとき、差込口部９ａと手摺本体３１の端部との間にスペーサ２０を挿入する。また、図１１では図示しないが、裏板１２に取付金８を固定する。
【００５０】
図１２は図９のストレッチャガード兼用手摺をかご室壁２に固定する様子を示す断面図である。実施の形態２のストレッチャガード兼用手摺をかご室壁２に固定する場合、まず、かご室壁２に固定された壁側ナット１７に壁側固定ボルト１６を緩く螺着しておく。そして、切欠８ｅに壁側固定ボルト１６を通しながら、壁固定部８ｂを壁側固定ボルト１６の頭部とかご室壁２との間に差し込む。
【００５１】
この後、壁側固定ボルト１６を締め付ける。このとき、上段の壁側固定ボルト１６は、連結部８ｃの横に上側から工具を挿入して固定する。また、下段の壁側固定ボルト１６は、下側から工具を挿入して固定する。ストレッチャガード兼用手摺をかご室壁２に固定した後、最後に取付金８に化粧カバー１８を貼り付ける。
【００５２】
このようなストレッチャガード兼用手摺では、実施の形態１と同様の効果に加え、表板１１及び裏板３２の切断面が手摺本体３１内に納められ、外部に露出しないため、安全性をさらに向上させることができる。
【００５３】
また、実施の形態１では、手摺本体７の上端部又は下端部がかご室壁２側へ押圧されると、例えば図１３の１点鎖線に示すように、手摺側固定ボルト１５を支点として手摺本体７が変位される。これに対して、実施の形態２では、取付金８を上下２段で配置したので、外力による手摺本体３１のぐらつきを防止することができる。
【００５４】
実施の形態３．
次に、図１４はこの発明の実施の形態３によるストレッチャガード兼用手摺の断面図であり、図２のＩＶ−ＩＶ線に沿う断面に相当する断面を示している。実施の形態３の手摺本体４１は、樹脂又は金属を押し出し成形又は引き抜き成形して構成されている。また、手摺本体４１は、帯状の表板部４１ａ、帯状の裏板部４１ｂ、水平な上面部４１ｃ、水平な下面部４１ｄ、一対のリブ４１ｅ，４１ｆを有している。
【００５５】
表板部４１ａは、表面がかご室１内に臨むように配置されている。裏板部４１ｂは、表板部４１ａの長手方向に沿って連続して設けられている。また、裏板部４１ｂは、表板部４１ａとの間に間隔をおいて、表板部４１ａの裏面に対向している。取付金８は、裏板部４１ｂに固定されている。
【００５６】
上面部４１ｃは、表板部４１ａの長手方向に沿って連続して、表板部４１ａの上端部と裏板部４１ｂの上端部との間に設けられている。下面部４１ｄは、表板部４１ａの長手方向に沿って連続して、表板部４１ａの下端部と裏板部４１ｂの下端部との間に設けられている。手摺本体４１内には、中空部４２が形成されている。
【００５７】
リブ４１ｅ，４１ｆは、表板部４１ａと裏板部４１ｂとの間に設けられている。中空部４２は、リブ４１ｅ，４１ｆにより３つに区切られている。リブ４１ｅの表板部４１ａ側の端部は、リブ４１ｅの裏板部４１ｂ側の端部よりも上方に配置されている。リブ４１ｆの表板部４１ａ側の端部は、リブ４１ｆの裏板部４１ｂ側の端部よりも下方に配置されている。即ち、リブ４１ｅ，４１ｆは、互いに反対向きに傾斜して配置されている。他の構成は、実施の形態２と同様である。
【００５８】
このようなストレッチャガード兼用手摺では、手摺本体４１が樹脂又は金属を押し出し成形又は引き抜き成形して構成されており、これにより手摺本体４１内に中空部４２が形成されているので、全体を軽量化することができる。また、切断面が外部に露出しないため、安全性をさらに向上させることができるとともに、面取り加工したり全体を樹脂製カバーで覆ったりする場合に比べて製造を容易にすることができる。
【００５９】
なお、実施の形態１の裏板主部１２ａの上下方向寸法が取付金８の上下方向寸法に対して十分大きければ、実施の形態１の裏板１２に対して取付金８を上下２段で配置してもよい。逆に、実施の形態２、３の裏板１２に対して取付金８を上下１段で配置してもよい。また、例えば小型の取付金８を用いる場合など、取付金８を上下３段以上で配置することも可能である。
【００６０】
また、保護キャップは必ずしも手摺本体の両端部に装着しなくてもよく、必要な一端部のみに装着してもよい。
さらに、取付金は、１つの手摺本体の長手方向の３箇所以上に配置してもよい。
さらにまた、上記の例では、左右の側壁と後壁とにストレッチャガード兼用手摺を取り付けたが、任意のかご室壁に選択的に取り付けてもよい。
また、ストレッチャガード兼用手摺は、長手方向に複数に分割されていてもよい。
【符号の説明】
【００６１】
１  かご室、２  かご室壁、６  ストレッチャガード兼用手摺、７，３１，４１  手摺本体、８  取付金、９  保護キャップ、９ａ  差込口部、９ｂ  延長部、９ｃ〜９ｅ  リブ、１１  表板、１１ａ  表板主部、１１ｂ  上面部、１１ｃ  上側対向部、１１ｄ  上側折り返し部、１１ｅ  下面部、１１ｆ  下側対向部、１１ｇ  下側折り返し部、１２，３２  裏板、３２ａ  裏板主部、１３，３３  中空部、２０  スペーサ、３２ｂ  上側当接部、３２ｃ  上側接合部、３２ｄ  下側当接部、３２ｅ  下側接合部、４１ａ  表板部、４１ｂ  裏板部、４１ｃ  上面部、４１ｄ  下面部。
【図１】
0005911360.tif 000002
【図２】
0005911360.tif 000003
【図３】
0005911360.tif 000004
【図４】
0005911360.tif 000005
【図５】
0005911360.tif 000006
【図６】
0005911360.tif 000007
【図７】
0005911360.tif 000008
【図８】
0005911360.tif 000009
【図９】
0005911360.tif 000010
【図１０】
0005911360.tif 000011
【図１１】
0005911360.tif 000012
【図１２】
0005911360.tif 000013
【図１３】
0005911360.tif 000014
【図１４】
0005911360.tif 000015